(57)【要約】【課題】防水パンからの溢水を防ぐ防水パンの排水構造を提供する。【解決手段】洗濯機２０が載置される防水パン１２と、防水パン１２から隣接する浴室３１内へ、防水パン１２で受けた水を排出可能な排水管１８と、防水パン１２に設けられ、洗濯機２０の排水ホース１６が接続されるトラップ１４と、を備えた防水パン１２の排水構造１０。【選択図】図１
2014189986.tif 000002
【特許請求の範囲】
【請求項１】
洗濯機が載置される防水パンと、
前記防水パンから隣接する浴室内へ、前記防水パンで受けた水を排出可能な排水管と、
前記防水パンに設けられ、前記洗濯機の排水ホースが接続されるトラップと、
を備えた防水パンの排水構造。 
【請求項２】
前記防水パンには前記洗濯機の排水ホースが接続される直結型トラップが設けられた請求項１に記載の防水パンの排水構造。 
【請求項３】
前記洗濯機からの排水にサイホン排水を適用した請求項１または請求項２に記載の防水パンの排水構造。
【請求項４】
前記排水管の排水口は前記浴室の洗い場に位置した請求項１〜請求項３の何れか１項に記載の防水パンの排水構造。
【請求項５】
前記浴室は浴槽が載置される浴室防水パンを備え、前記排水管の排水口は前記浴室防水パンの浴槽の下に位置する請求項１〜請求項３の何れか１項に記載の防水パンの排水構造。
【発明の詳細な説明】
【技術分野】
【０００１】
本発明は、防水パンの排水構造に関する。
【背景技術】
【０００２】
洗濯機の水廻りにトラブルが発生した際には洗濯機周辺に水が溢れ、集合住宅であれば下階への漏水リスクがある。その対応策として水を一時的に受ける防水パンが必要となっている（特許文献１参照）。
【０００３】
しかし洗濯機の排水において水が溢れない直結トラップを用いた場合、何らかの理由によって洗濯機を載置した防水パンに水が落ちた際、防止パンの容量を超えてこの水が溢れる（溢水する）虞がある。
【先行技術文献】
【特許文献】
【０００４】
【特許文献１】特開２００７−１４６６２５号公報
【発明の概要】
【発明が解決しようとする課題】
【０００５】
本発明は上記事実を考慮し、防水パンからの溢水を防ぐ防水パンの排水構造を提供することを目的とする。
【課題を解決するための手段】
【０００６】
請求項１に記載の防水パンの排水構造は、洗濯機が載置される防水パンと、前記防水パンから隣接する浴室内へ、前記防水パンで受けた水を排出可能な排水管と、前記防水パンに設けられ、前記洗濯機の排水ホースが接続されるトラップと、を備えたことを特徴とする。
【０００７】
請求項１に記載の防水パンの排水構造では、洗濯機が載置される防水パンから隣接する浴室内に排水可能としたことで、排水口を備えた防水パン用トラップを設けずとも防水パンからの溢水を防ぐ防水パンの排水構造とすることができる。
【０００８】
請求項２に記載の防水パンの排水構造は、前記防水パンには前記洗濯機の排水ホースが接続される直結型トラップが設けられたことを特徴とする。
【０００９】
請求項２に記載の防水パンの排水構造では、構造的に防水パンで受けた水を排出できない直結型トラップを用いても、洗濯機を載置した防水パンからの排水が浴槽下に排出される構造とすることができる。
【００１０】
請求項３に記載の防水パンの排水構造は、前記洗濯機からの排水にサイホン排水を適用したことを特徴とする。
【００１１】
請求項３に記載の防水パンの排水構造では、洗濯機からの排水にサイホン排水を適用したことで、排水管の管径を縮小したり、排水管の勾配や、排水用ポンプなどの動力が不要な防水パンの排水構造とすることができる。
【００１２】
請求項４に記載の防水パンの排水構造は、前記排水管の排水口は前記浴室の洗い場に位置したことを特徴とする。
【００１３】
請求項４に記載の防水パンの排水構造では、浴室防水パンが浴室全体をカバーしていない構造でも外部に漏水しない防水パンの排水構造とすることができる。
【００１４】
請求項５に記載の防水パンの排水構造は、前記浴室は浴槽が載置される浴室防水パンを備え、前記排水管の排水口は前記浴室防水パンの浴槽の下に位置することを特徴とする。
【００１５】
請求項５に記載の防水パンの排水構造では、洗濯機を載置した防水パンからの排水が浴槽下に排水されるため、排水で浴室内の美観を損なわない防水パンの排水構造とすることができる。
【発明の効果】
【００１６】
本発明は、上記の構成としたので、防水パンからの溢水を防ぐ防水パンの排水構造とすることができる。
【図面の簡単な説明】
【００１７】
【図１】（Ａ）は本願発明の第一実施形態に係る防水パンの排水構造の構造を示す断面図であり、（Ｂ）は本願発明の第二実施形態に係る防水パンの排水構造の構造を示す断面図である。
【図２】本願発明の実施形態に係るトラップの時間当たりの流入量と排水量の関係を示すグラフである。
【図３】本願発明の実施形態に係る洗濯機排水を含むユニットバス、洗面器、洗濯機の配管構造を示す模式図である。
【図４】（Ａ１）（Ａ２）は本願発明の第三実施形態に係る防水パンの排水構造の構造を示す斜視図および断面図であり、（Ｂ１）（Ｂ２）は本願発明の第一および第二実施形態に係る防水パンの排水構造の構造を示す斜視図および断面図であり、（Ｃ）（Ｄ）は本願発明の実施形態に係る防水パンの加工例を示す斜視図である。
【図５】（Ａ）は従来の防水パンの排水構造の構造を示す断面図であり、（Ｂ）は防水パン用トラップの構造を示す断面図である。
【発明を実施するための形態】
【００１８】
以下、図面を参照しながら本発明の第一実施形態に係る防水パンの排水構造の構造について説明する。
【００１９】
図１（Ａ）に示すように、防水パンの排水構造１０は、洗濯機置き場２１内で洗濯機２０が載置された防水パン１２、防水パン１２に設けられ洗濯機２０からの排水を排水ホース１６経由で床２４の下に設けられた排水管１７へ排出する直結型トラップ１４、隣接する浴室（ユニットバス３１）との間を仕切る間仕切り壁２２が設けられている。
【００２０】
さらに隣接する浴室３１には浴槽３０、トラップ３４が設けられた床３２、ＵＢ（ユニットバス）壁３６が設けられ、ＵＢ壁３６は間仕切り壁２２と隣接している。
【００２１】
洗濯機２０が載置された防水パン１２には、浴室３１へ連通するバイパス１８が設けられ、防水パン１２で水を受けた際にはバイパス１８を経由して開口部１８Ｂから浴室３１の床３２へ排水される。
【００２２】
このとき図１（Ａ）に示すようにバイパス１８は直管構造で防水パン１２の上縁部分よりも水位が高くならないように傾斜して浴室３１内の開口部１８Ｂに連通していてもよく、あるいは図１（Ｂ）に示すように柔軟なホース等で形成され、傾斜によらず一旦は床２４の下へ伸びた後に浴室３１内の開口部１８Ｂへ開口してもよい。この場合、バイパス１８は長くなるが配管の自由度が増す。
【００２３】
本実施形態に用いられる直結型トラップ１４は、排水ホース１６からの排水を流入管１４Ａで受け、封水部１４Ｂで一旦排水を貯め封水として下水管からの臭気、虫などの侵入を防止し、排水部１４Ｃから排水管１７へ排水する。排水管１７はサイホン排水で洗濯機２０からの排水を図示しない下水へ排出する。この構成では防水パン１２で受けた水を直結型トラップ１４から排出する能力はない。
【００２４】
ここでいう防水パン１２で受けた水とは、通常使用時には想定されていない洗濯機２０自体の漏水、洗濯機２０への図示しない給水ホース外れ、排水ホース１６の外れ、排水ホース１６と直結型トラップ１４取付不良などに起因する漏水であって、恒常的に多量の水が防水パン１２に滞留するものではない。
【００２５】
通常、洗濯機２０が設置される箇所が一戸建てでなく集合住宅の２階以上であった場合、図５（Ａ）に示すように防水パン１２に滞留する水Ｗの量が防水パン１２の容量を超えると、床２４に水が溢れ出し、下階層へ漏出する虞がある。このため防水パン１２には防水パン用トラップ１４Ｂが設けられている。
【００２６】
図５（Ｂ）に示すように防水パン用トラップ１４Ｂは防水パン１２内の水を排出するための排水溝１４Ｃを備え、水Ｗの量が防水パン１２の容量を超えないよう常に排出可能とされている。
【００２７】
本実施形態においては、排水管１７からの排水はサイホン排水の方式で行われる。サイホン排水では落下する排水が生じる負圧を利用して、排水管１７の管径を縮小したり、排水管１７の勾配や、排水用ポンプなどの動力を不要とする等の利点があるが、防水パン１２に直結型トラップ１４ではなく防水パン用トラップを用いた場合は、洗濯機２０の排水開始初期にトラップ部分での溢れが発生する虞がある。
【００２８】
すなわち防水パン用トラップ１４Ｂでは防水パン１２で受けた水を排出する必要上、防水パン１２からの排水口１４Ｃを備えているが、排水開始時に排水能力が追い付かず、排水口１４Ｃから防水パン１２へ排水が逆流する可能性がある。
【００２９】
図２（Ａ）に示すように、洗濯機２０からの排水初期においてサイホン排水の場合、サイホン現象が生じるまで排水能力が低く（排水量のグラフ）、洗濯機２０からの排水を処理し切れない場合がある（斜線部が処理能力オーバー部分）。逆流を防止するための対応策として、溢れが発生する可能性のある排水初期だけの水を一時的に受ける機能を設けた、一時貯留槽方式のサイホン排水がある。
【００３０】
しかし洗面器やキッチンの様にトラップの構造上、水が溢れない構造であれば、一時貯留槽の設置は絶対条件ではない。一時貯留槽を設置する事はコスト面で嵩む事や、設置場所等の制約が生じる。
【００３１】
図３に示すように洗濯機２０、浴室３１ 、洗面器４０などからの排水を排出する一時貯留槽を設置した配管方式としては、図３（Ｂ）「単独設置型」図３（Ｃ）「複器合流型」の２種類が存在する。
【００３２】
図３（Ｂ）に示す単独設置型は一つの衛生器具（洗濯機２０、浴室３１、洗面器４０）に対して一時貯留槽３８、１５、４２がそれぞれ一つ設けられている。浴室３１からはトラップ３４を介して一時貯留槽３８へ排水し、サイホン排水管３９で排出する。同様に洗濯機２０からは防水パン用トラップ１４Ｂを介して一時貯留槽１５へ排水し、洗面器４０からはトラップ４４を介して一時貯留槽４２へ排水される。
【００３３】
但し洗面器４０は一般に一時貯留槽４２に代えて通気弁４０Ｔを設けたトラップ４４で代用することもできる。通気弁４０Ｔは排水管４６側がサイホン排水によって負圧となった際、負圧が過剰となり封水が排水管４６側に抜けてしまう（破封）事態を防ぐため、排水管４６側が負圧過剰となった際に弁を解放し、破封を防止する。
【００３４】
単独設置型のメリットとしては全ての衛生器具が自由に設置可能である点、それぞれの一時貯留槽３８、１５、４２は小型のもので対応可能なので床下の設置スペースに制約が少ない点などが挙げられる。
【００３５】
図３（Ｃ）に示す複器合流型では複数の衛生器具からそれぞれトラップ３４、１４Ｂ、４４を介して１個の一時貯留槽３４に排水を一度合流させ、サイホン排水する。この方式のメリットとしては水廻りの間取りがこの仕様に合致していれば配管本数を少なくできる点がある。前述の単独設置型と比較して一方が優れているものではなく各々一長一短があるので、物件に応じて両者を適宜に使い分けるのが望ましい。
【００３６】
ここで洗濯機２０は、防水パン１２に直結型トラップ１４が用いられた構成であれば一時貯留槽１５は不要だが、防水パン用トラップ１４Ｂを使用するかぎり、単独設置型でも複器合流型でも一時貯留槽１５を介した排水が求められる。ただし前述の問題すなわち洗濯機２０自体の漏水、洗濯機２０への図示しない給水ホース外れ、排水ホース１６の外れ、排水ホース１６と直結型トラップ１４取付不良などに起因する漏水問題等が解決できれば、防水パン用トラップの１４Ｂの設置は必須ではなくなり、一時貯留槽１５も不要となる。
【００３７】
上記の条件を満たすためには防水パン１２で水を受けた際に、外部へ水を排出するために防水パン用トラップ１４Ｂ以外の経路を用意する必要がある。そのため本願発明の実施形態に係る防水パンの排水構造は、防水パン１２から隣接する浴室３１へ連通するバイパス１８を備え、防水パン１２で受けた水を、バイパス１８を介して浴室３１へ排出する。
【００３８】
図３（Ａ）に示す本願発明に係る防水パンの排水構造は、浴室３１および洗面器４０からの排水はそれぞれトラップ３４と一時貯留槽３８、通気弁４０Ｔつきのトラップを介して排水管３９、４６にそれぞれ排出される。
【００３９】
洗濯機２０からの排水は図示しない直結型トラップ１４を介して（通気弁２０Ｔを備えていてもよい）排水管１７へ排出される。このとき直結型トラップ１４は図示しない防水パン１２に設けられ、予期しない漏水に対処しこれを受け止める。
【００４０】
当該構成では一時貯留槽１５を備えていないが、直結型トラップ１４は防水パン１２と連通する排水口を備えていないため、洗濯機２０からの排水量にかかわらず逆流の発生する虞はない。すなわち本実施形態では、図２（Ｂ）に示すように洗濯機２０の排水量と直結型トラップ１４の排水量とは一致しており、且つ防水パン１２からの排水口を備えていないため防水パン１２側へ水が逆流する虞はない。
【００４１】
加えて防水パン１２には前述のように想定されていない洗濯機２０からの漏水のみ滞留することになり、通常は防水パン１２およびバイパス１８の先端（浴室内）には排水が流れない。何らかのトラブルが発生して、浴室３１内に洗濯機２０の排水が流れた形跡が見られた場合には、トラブルの発生を早期に発見できるメリットもある。
【００４２】
また複器合流型の一時貯留槽３８は複数の衛生器具の同時排水に対して対応する必要があるため、サイズが大きくなる。そのため床下に納まらない可能性があり、サイズによって設置に制約を受けるため。対応できる排水管３９の距離に制約がでることがあった。一方、本願発明の実施形態に係る構成では基本的に一時貯留槽３８自体は単独設置型なのでサイズを小さくできるため、一時貯留槽３８のサイズによる制約を少なくできる。
【００４３】
なお当然、防水パン１２から浴室３１へバイパス１８を設ければ直結型トラップ１４を使用できるので、上記の単独設置型と複器合流型いずれかに問題なく応用できることは言うまでもない。
【００４４】
図４（Ａ）には本願発明の第三実施形態に係る防水パンの排水構造が示されている。なお、第一、第二実施形態と同一部材については、同一符号を付してその説明を省略する。
【００４５】
図４（Ａ）に示すように防水パン１２から浴室３１へ連通したバイパス１８を備えている点は第一、第二実施形態と同様であり、バイパス１８の浴室３１側開口位置が第一、第二実施形態と異なっている。浴室３１の床３２が浴槽３０の下まで浴室防水パン３２でカバーしている場合、浴槽３０の下は浴室３１内部からは見えない構造とされている。
【００４６】
このため、バイパス１８の浴室３１側の開口部１８Ｂを浴槽３０の下に設けることで、洗い場３３に洗濯機２０の排水を流さない構成とすることができる。前述のように、防水パン１２に貯留する水はあくまでも何らかのトラブル発生の結果であって、洗濯機２０から浴室３１へ常態的に排水はされていない。
【００４７】
しかし洗濯機２０の防水パン１２からの排水が洗い場３３へ流れるのは美観上望ましくないので、浴室３１が浴槽３０の下まで浴室防水パン３２でカバーされていれば、浴室３１から目視できない浴槽３０の下に排水するのが望ましい。
【００４８】
これに対して図４（Ｂ）に示すようにバイパス１８の浴室３１側の開口部が洗い場３３へ開口している場合、床３２は洗い場３３だけ浴室防水パン３２でカバーされていればよいので、第三実施形態に比較して低コストで小規模な工事とすることができる。
【００４９】
また、洗濯機２０の防水パン１２にバイパス１８を連通する箇所の構造としては図４（Ｃ）に示すようにバイパス１８の形状に合わせて丸孔形状の孔１８Ａが設けられていてもよく、あるいは図４（Ｄ）に示すようにより簡略化して切欠き形状の孔１８Ａとされていてもよい。特に図１（Ａ）で示したようにバイパス１８が傾斜を利用して浴室３１側へ防水パン１２の水を排出する場合、図４（Ｄ）のような構造でも差支えはない。
【００５０】
以上、実施形態を挙げて本発明の実施の形態を説明したが、これらの実施形態は一例であり、要旨を逸脱しない範囲内で種々変更して実施できる。例えば浴室３１はトイレ、洗面所と一体化されたユニットバスでもよく、あるいは他の形状でもよく、種々の形状が使用できる。
【符号の説明】
【００５１】
１０  防水パンの排水構造、１２  防水パン、１４  直結型トラップ、１６  排水管（排水ホース）、１８  バイパス（排水管）、２０  洗濯機、３０  浴槽、３１  浴室、３２  浴室防水パン、３３  洗い場
【図１】
2014189986.tif 000003
【図２】
2014189986.tif 000004
【図３】
2014189986.tif 000005
【図４】
2014189986.tif 000006
【図５】
2014189986.tif 000007